(57)【要約】  【課題】  長さおよび／または形状の異なる多種類の欄干パネルを容易に準備することが可能な欄干パネル構造を提供する。  【解決手段】  所要の長さおよび／または所要の形状の欄干パネルを、複数の欄干パネル部に分割して構成し、複数の欄干パネル部を、継ぎ手を用いて一体化する。好ましくは、継ぎ手を用いて複数の欄干パネル部の間隔を調整して一体化することにより、または、乗客コンベアの仕様に合わせて形成した欄干パネル部と複数の乗客コンベアの仕様において共用可能に形成した欄干パネル部とを組み合わせて継ぎ手を用いて一体化することにより、欄干パネルを構成する。【選択図】図３
2014125295.tif 000002
【特許請求の範囲】
【請求項１】
一方の乗降口から他方の乗降口にかけて設置された乗客コンベアのステップまたはベルトの左右両側に配置され、一方の乗降口パネル、少なくとも一つの中間部パネル、他方の乗降口パネルで構成された欄干パネル群の何れかの欄干パネルに用いられる乗客コンベア用欄干パネルにおいて、
前記欄干パネルは、複数の欄干パネル部から構成されるとともに、前記複数の欄干パネル部を乗客コンベアの外観上見える位置に設けられた継ぎ手で接続することにより組立品として構成され、前記継ぎ手は、前記複数の欄干パネル部間の隙間を表側の継ぎ板と裏側の継ぎ板とで挟み前記表側の継ぎ板と前記裏側の継ぎ板とを連結部材で連結した構造であることを特徴とする乗客コンベア用欄干パネル。
【請求項２】
請求項１において、
乗客コンベアに設置される際に、前記組立品で構成された前記欄干パネルは、隣接する欄干パネルとは前記継ぎ手を用いて接続されないことを特徴とする乗客コンベア用欄干パネル。
【請求項３】
請求項１又は２において、
前記欄干パネルの長さが所要の長さになるように、前記複数の欄干パネル部の間隔が調整されて前記継ぎ手により接続されていることを特徴とする乗客コンベア用欄干パネル。
【請求項４】
請求項１〜３の何れかにおいて、
前記複数の欄干パネル部は、乗客コンベアの仕様に合わせて形成した欄干パネル部と、複数の乗客コンベアの仕様において共用可能に形成した欄干パネル部とを有することを特徴とする乗客コンベア用欄干パネル。
【請求項５】
請求項４において、
前記欄干パネルは、少なくとも３つに分割され、両端部に位置する端部用欄干パネル部と、両端部の前記端部用欄干パネル部の間に位置する少なくとも一つの中央部用欄干パネル部とを有し、前記端部用欄干パネル部は前記乗客コンベアの仕様に合わせて形成した欄干パネル部として形成され、前記中央部用欄干パネル部は前記複数の乗客コンベアの仕様において共用可能に形成した欄干パネル部として形成されていることを特徴とする乗客コンベア用欄干パネル。
【請求項６】
請求項１〜５の何れかにおいて、
前記継ぎ手は、前記欄干パネル部に対向する側とは反対側の面が進行方向に対して傾斜した形状を有することを特徴とする乗客コンベア用欄干パネル。
【請求項７】
請求項１〜６の何れかにおいて、
前記継ぎ手は、前記欄干パネル部に対向する側とは反対側の面が、前記継ぎ手を締め付けする前記連結部材であるボルトまたはリベットの頭が前記継ぎ手の前記反対側の面から突出しないように形成されていることを特徴とする乗客コンベア用欄干パネル。
【請求項８】
請求項１〜７の何れかにおいて、
前記継ぎ手と前記欄干パネル部との間にゴム板を介在させて、前記複数の欄干パネル部を前記継ぎ手で接続するようにしたことを特徴とする乗客コンベア用欄干パネル。
【請求項９】
請求項１〜８の何れかにおいて、
前記継ぎ手で接続される前記欄干パネル部間の隙間の上部側に、スペーサを配置したことを特徴とする乗客コンベア用欄干パネル。
【請求項１０】
一方の乗降口から他方の乗降口にかけて無端状に連結されて移動する複数のステップと、前記ステップと同期して移動するハンドレールと、それぞれの乗降口間に跨って設置される本体枠と、前記ステップの左右両側に配置され、一方の乗降口パネル、少なくとも一つの中間部パネル及び他方の乗降口パネルで構成された欄干パネル群とを備えた乗客コンベアにおいて、
前記一方の乗降口パネル、前記中間部パネル及び前記他方の乗降口パネルのうち少なくとも一つの欄干パネルは、複数の欄干パネル部から構成されるとともに、前記複数の欄干パネル部を乗客コンベアの外観上見える位置に設けられた継ぎ手で接続することにより組立品として構成され、前記継ぎ手は、前記複数の欄干パネル部間の隙間を表側の継ぎ板と裏側の継ぎ板とで挟み前記表側の継ぎ板と前記裏側の継ぎ板とを連結部材で連結した構造であることを特徴とする乗客コンベア。
【請求項１１】
一方の乗降口から他方の乗降口にかけて設置された乗客コンベアのステップまたはベルトの左右両側に配置され、一方の乗降口パネル、少なくとも一つの中間部パネル、他方の乗降口パネルで構成された欄干パネル群の何れかの欄干パネルを交換する乗客コンベア用欄干パネルの交換方法において、
複数の欄干パネル部から構成されるとともに、前記複数の欄干パネル部を乗客コンベアの外観上見える位置に設けられた継ぎ手で接続することにより組立品として構成され、前記継ぎ手は、前記複数の欄干パネル部間の隙間を表側の継ぎ板と裏側の継ぎ板とで挟み前記表側の継ぎ板と前記裏側の継ぎ板とを連結部材で連結した構造である欄干パネルを用いて欄干パネルの交換を行うようにすると共に、
前記複数の欄干パネル部の間隔を調整して前記複数の欄干パネル部を前記継ぎ手で接続することにより交換対象の前記欄干パネルの長さに対応した欄干パネルの組立品を得るようしたことを特徴とする乗客コンベア用欄干パネルの交換方法。
【請求項１２】
請求項１１において、
乗客コンベアのメンテナンスを行う事業者の拠点には、複数の欄干パネル部として、乗客コンベアの仕様に合わせて形成した複数種類の欄干パネル部と、複数の乗客コンベアの仕様において共用可能に形成した欄干パネル部とを保管し、
前記乗客コンベアの仕様に合わせて形成した複数種類の欄干パネル部から交換対象の前記欄干パネルの形状に対応する欄干パネル部を選択し、
選択した前記乗客コンベアの仕様に合わせて形成した欄干パネル部と前記複数の乗客コンベアの仕様において共用可能に形成した欄干パネル部とを継ぎ手で接続することにより交換対象の前記欄干パネルの形状に対応した欄干パネルの組立品を得るようにしたことを特徴とする乗客コンベア用欄干パネルの交換方法。
【請求項１３】
請求項１１又は１２において、
乗客コンベアのメンテナンスを行う事業者の拠点には、前記複数の乗客コンベアの仕様において共用可能に形成した欄干パネル部として、長さを変えた複数種類の欄干パネル部を保管するようにしたことを特徴とする乗客コンベア用欄干パネルの交換方法。
【請求項１４】
請求項１１〜１３の何れかにおいて、
前記欄干パネルの組立品を用いて乗客コンベアを仮復帰させ、
その後、交換対象の前記欄干パネルと同一の形状及び同一長さの欄干パネルを用いて、最終的な欄干パネルの交換を行うようにしたことを特徴とする乗客コンベア用欄干パネルの交換方法。
【発明の詳細な説明】
【技術分野】
【０００１】
本発明は、乗客コンベア、乗客コンベア用欄干パネル及び乗客コンベア用欄干パネルの交換方法に関する。
【背景技術】
【０００２】
乗客コンベアにあっては、これを設置する建物により各階の高さ、梁間寸法が変わることで乗客コンベアの長さも変わる。また乗客コンベアの傾斜角度が変わることもあり、傾斜角度が変わることで乗客コンベアの長さも変わる。このため欄干パネルの全長も当然変わることになる。
【０００３】
また、乗客コンベアの欄干パネルは、１台分を一体にすると非常に長くなるため、製作上の理由から通常約１〜２ｍ単位の長さに分割して構成されている（例えば、特許文献１、２参照）。この分割方法には、乗客コンベアの傾斜角度に対して垂直方向に分割する垂直割（特許文献１）と、傾斜角度に関わらず鉛直方向に分割する鉛直割（特許文献２）がある。
【先行技術文献】
【特許文献】
【０００４】
【特許文献１】特開昭６２−２８０１８４号公報
【特許文献２】特開平  ２−１４４３９６号公報
【発明の概要】
【発明が解決しようとする課題】
【０００５】
欄干パネルの材質としては通常ガラスが用いられている。乗客コンベアが設置された現地においてガラス製の欄干パネルが万一破損した場合に、破損した欄干パネルを新たな欄干パネルに迅速に交換するため、欄干パネルを予備として準備する必要がある。
【０００６】
欄干パネルは、乗客コンベアの仕様に応じて長さや形状が異なる。このため、乗客コンベアのメンテナンス事業者は、複数の現地で稼動している乗客コンベアの各仕様に対応した欄干パネルを予備として準備する必要がある。
【０００７】
しかし、乗客コンベアの各仕様に対応して欄干パネルを準備するとなると、多種類の欄干パネルを準備する必要がある。すなわち、乗客コンベアの長さが異なることに対応して長さが異なる欄干パネルを複数種類準備する必要がある。また、垂直割と鉛直割とでは欄干パネルの形状が異なり、しかも鉛直割の場合は傾斜角度ごとに欄干パネルの形状が変わるため、長さと形状による変動要素を考慮すると、準備する欄干パネルの種類は非常に多くなってしまう。そして、欄干パネルを保管する場所、費用等の制限により全てを準備することは非常に困難となる。
【０００８】
このため、予備の欄干パネルを準備できない場合は、次のような方法で欄干パネルの交換作業を行うことになる。すなわち、破損したガラスの欄干パネルと同一仕様の欄干パネルを手配すると共に、応急的に例えば木材または樹脂等の比較的容易に入手できる材質の部材を用いて、現地で稼働している乗客コンベアの仕様に合わせた長さと形状にした応急用の欄干パネルを製作する。製作した応急用の欄干パネルを現地の乗客コンベアに取り付け乗客コンベアを仮復帰させる。そして、後日に先に手配したガラスの欄干パネル入荷後に、最終的な欄干パネルの交換作業を行う。
【０００９】
しかしながら、上述した応急用の欄干パネルには下記の課題がある。
（１）比較的用意に入手できる材質でも、現地と同一仕様の長さ、形状で新規に緊急で製作する必要があり、その都度製作日数がかかる。
（２）現地と同一仕様の長さ、形状として製作するため、ガラスの欄干パネルに交換後は、応急用の欄干パネルを他の納入先に再利用できないことが多く、廃棄せざるを得ない。このため費用が嵩む。
【００１０】
本発明の目的は、長さおよび／または形状の異なる多種類の欄干パネルを容易に準備することが可能な欄干パネル構造を提供することにある。
【００１１】
本発明の他の目的は、乗客コンベアが設置された現地において欄干パネルが万一破損した場合に、迅速に準備することができ、また、最終的な欄干パネルに交換後は他の納入先にも再利用できる応急用の欄干パネルを提供することにある。
【課題を解決するための手段】
【００１２】
前記目的を達成するために、本発明は、欄干パネルを複数の欄干パネル部に分割して構成し、複数の欄干パネル部を、継ぎ手を用いて一体化したことを特徴とする。
【００１３】
前記他の目的を達成するために、本発明は、欄干パネルを複数の欄干パネル部に分割して構成し、複数の欄干パネル部を、間隔調整可能な継ぎ手を用いて一体化することにより、所要の欄干パネルの長さに対応した欄干パネルを構成することを特徴とする。
【００１４】
また、前記他の目的を達成するために、本発明は、欄干パネルを、乗客コンベアの仕様に合わせて形成した欄干パネル部と、複数の乗客コンベアの仕様において共用可能に形成した欄干パネル部とに分割して構成し、これら欄干パネル部を、継ぎ手を用いて一体化することにより、所要の欄干パネルの形状に対応した欄干パネルを構成することを特徴とする。
【発明の効果】
【００１５】
本発明によれば、欄干パネル部の組み合わせを変えることにより、長さおよび／または形状の異なる多種類の欄干パネルを容易に準備することが可能となる。
【００１６】
また、本発明によれば、乗客コンベアが設置された現地において欄干パネルが万一破損した場合に、乗客コンベアの仕様に対応した応急用の欄干パネルを迅速に準備することができ、また、最終的な欄干パネルに交換後は、応急用の欄干パネルの構成に用いた欄干パネル部や継ぎ手は、他の納入先にも再利用できる。
【００１７】
上記した以外の課題、構成及び効果は、以下の実施形態の説明により明らかにされる。
【図面の簡単な説明】
【００１８】
【図１】欄干パネルが鉛直割の乗客コンベアの概略構成図ある。
【図２】欄干パネルが垂直割の乗客コンベアの概略構成図ある。
【図３】欄干パネルが鉛直割の乗客コンベアの中間部パネルに本発明を適用した構成例を示す欄干パネルの正面図である。
【図４】図３に示す欄干パネルの上面図である。
【図５】図３に示す欄干パネルの側面図である。
【図６】図３に示す欄干パネルのA-A断面の拡大図である。
【図７】欄干パネルが垂直割の乗客コンベアの中間部パネルに本発明を適用した構成例を示す欄干パネルの正面図である。
【図８】欄干パネルが鉛直割の乗客コンベアの上部乗降口パネルに本発明を適用した構成例を示す欄干パネルの正面図である。
【図９】欄干パネルが垂直割の乗客コンベアの上部乗降口パネルに本発明を適用した構成例を示す欄干パネルの正面図である。
【図１０】欄干パネルが鉛直割の乗客コンベアの下部乗降口パネルに本発明を適用した構成例を示す欄干パネルの正面図である。
【図１１】欄干パネルが垂直割の乗客コンベアの下部乗降口パネルに本発明を適用した構成例を示す欄干パネルの正面図である。
【発明を実施するための形態】
【００１９】
以下、図面を用いて本発明の実施例を説明する。
【００２０】
先ず、本発明が適用される乗客コンベアの概要について、図１及び図２を用いて説明する。なお、本発明において、乗客コンベアは、例えばエスカレーターや動く歩道を含むものである。以下に示す実施例では、エスカレーターを例にとり説明しているが、これに限定されるものではない。
【００２１】
乗客コンベア（エスカレーター）は、図１及び図２に示すように、下階床に連なる一方の乗降口である下乗降口から上階床に連なる他方の乗降口である上乗降口にかけて、無端状に連結されて移動する複数のステップ（踏段）１と、これらのステップ１と同期して移動するハンドレール２と、それぞれの乗降口間に跨って（上下階床に跨って傾斜して）設置される本体枠３等からなる。上端部に設けられる機械室（図示省略）に配置された電動機及び減速機によりステップ１、ハンドレール２を駆動することで乗客を運搬するものである。なお、乗客コンベアが動く歩道の場合、本発明は、パレット式とベルト式の両者に適用可能である。また、本明細書では、「ステップ」には、エスカレーターの踏段や、動く歩道のパレットが含まれるものとする。
【００２２】
欄干パネルは乗客コンベア１台分を一体にすると非常に長くなるため、製作上の理由から通常約１〜２ｍ単位の長さに分割して構成される。
【００２３】
図１は、欄干パネルを鉛直割で構成した乗客コンベアを示す。乗客コンベア１台の欄干パネルは、乗客コンベアの上部乗降口パネル２５と、下部乗降口パネル２７と、複数個からなる中間部パネル２６とに分割して構成されている。上部乗降口パネル２５と中間部パネル２６、中間部パネル２６同士、中間部パネル２６と下部乗降口パネル２７のそれぞれは、傾斜角度αに関わらず鉛直方向に分割されている。これらの欄干パネルは、デッキ３１に固定されている。
【００２４】
なお、本明細書では、上部乗降口パネル２５、下部乗降口パネル２７、中間部パネル２６のそれぞれを欄干パネルと呼称するが、乗客コンベア１台の片側に配置され、上部乗降口パネル２５、下部乗降口パネル２７、中間部パネル２６から構成される全体も欄干パネルであり、両者の混同を避けるため、後者の全体の欄干パネルを必要に応じて欄干パネル群と称する。
【００２５】
また、中間部パネル２６の長さは傾斜線に沿ったL、高さはHで示す。上部乗降口パネルの長さはLU、下部乗降口パネルの長さはLD、高さはそれぞれHU、HDで示す。
【００２６】
図２は、欄干パネルを傾斜角度αの傾斜線に対する垂線方向に分割した垂直割の乗客コンベアを示す。図１の鉛直割の乗客コンベアと同様に、乗客コンベア１台の欄干パネル群は、上部乗降口パネル２８と、複数個からなる中間部パネル２９と、下部乗降口パネル３０とに分割して構成されている。また、図１の鉛直割の乗客コンベアと同様に、中間部パネル２９の長さは傾斜線に沿ったL、高さはHで示す。上部乗降口パネルの長さはLU、下部乗降口パネルの長さはLD、高さはそれぞれHU、HDで示す。
【００２７】
上部乗降口パネルの高さHUと下部乗降口パネルの高さHDは、通常、殆どの場合、同一寸法に設計する。鉛直割と垂直割では、上部乗降口パネルの長さLU、下部乗降口パネルの長さLD、中間部パネルの長さLが同じでも、形状が異なるので欄干パネルの互換性は無い。さらに、鉛直割では、乗客コンベアの傾斜角度αが異なると、パネル形状が異なり、欄干パネルの互換性は無い。
【００２８】
次に、本実施例における欄干パネルの構成の考え方について説明する。本実施例では、応急用の欄干パネルを対象として説明するが、下記に説明する欄干パネルの構成は、常設用の欄干パネルにも適用できる。
【００２９】
欄干パネルは、乗客コンベアの仕様の相違により長さや形状が異なる。すなわち、（１）乗客コンベアの長さに対応した欄干パネルの長さ相違、（２）欄干パネルの分割方法による欄干パネルの形状の相違が生じる。
【００３０】
そこで、本実施例では、乗客コンベアの仕様の相違により必要となる多種類にわたる所要の長さおよび所要の形状の１個の欄干パネルを、複数に分割して構成するようにし、分割したものを継ぎ手で接続して組立品として構成するものである。
【００３１】
言い換えれば、本実施例では、例えば、上部乗降口パネル、下部乗降口パネル、複数個からなる中間部パネルに分割された各欄干パネルを、さらに複数の欄干パネル部に分割し、複数の欄干パネル部を継ぎ手で接続する構造とし、構成する部品を共通化することで、少ない種類の部品で、現地の乗客コンベアの仕様に合わせた欄干パネルを準備できるようにしたものである。
【００３２】
本実施例では、欄干パネルの組立品の構成と分割方法は、具体的には、下記の考え方としている。なお、本実施例では、欄干パネルを３つに分割した場合を例にして説明しているが、これに限定されるものではない。
（１）両端部の欄干パネル部（端部用欄干パネル部）は垂直割と鉛直割に対応した形状とする。従って、端部用欄干パネル部としては垂直割用と鉛直割用を準備する。さらに、鉛直割用としては、傾斜角度の種類に応じてさらに複数準備する。
（２）中央部の欄干パネル部（中央部用欄干パネル部）は、垂直割、鉛直割を共用とした形状とする。また、欄干パネルの長さが相違しても後述の継ぎ手を用いることにより、中央部用欄干パネル部は、長さが異なる複数の欄干パネルに共用可能であるが、継ぎ手による長さ調整可能範囲で対応しきれない場合を考慮して、長さが異なる中央部用欄干パネル部を複数種類用意しておくのが望ましい。また、本実施例では、中央部用欄干パネル部を１個としているが、必要により中央部用欄干パネル部をさらに複数個に分割しても良い。これにより欄干パネルがかなり長い場合にも対応できる。
（３）端部用欄干パネル部のそれぞれと中央部用欄干パネル部を、各々継ぎ手を介在させて接続し、１個の欄干パネルを組立てする。また、継ぎ手に長さ調整機能を持たせて、端部用欄干パネル部と中央部用欄干パネル部の接続部の隙間を調整することで所要の長さの欄干パネルとする。なお、中央部用欄干パネル部をさらに複数個に分割した場合は、当然ながら中央部用欄干パネル部間も継ぎ手で接続し、隙間の調整により所要の長さの欄干パネルとする。
【００３３】
このように１個の欄干パネルを分割することにより、例えば、端部用欄干パネル部の形状を変えることで、現地の仕様に合った欄干パネルを容易に構成することが可能となる。
【００３４】
また、中央部用欄干パネル部の長さを複数種類用意し、端部用欄干パネル部と中央部用欄干パネル部間の隙間を調整することで、１個の欄干パネルは、約１〜２メートルの範囲で任意の長さのものとすることができる。
【００３５】
特に乗客コンベアの仕様により、欄干パネルは数ミリ単位で異なる長さのものが必要になり、長さだけでも非常に多くの種類が必要となる。更に垂直割、鉛直割の形状を考慮すると、長さの種類に形状の種類を掛けたものが、実際に準備が必要な種類となり、単純に数千種類が必要となるが、本実施例により端部用欄干パネル部、中央部用欄干パネル部を合計十数種類用意することで対応可能となる。
【００３６】
次に、乗客コンベアの欄干パネルの分割構造例を図に基づき具体的に説明する。
【００３７】
先ず、乗客コンベアの欄干パネルが鉛直割りの中間部パネル（図１における中間部パネル２６）の実施例を、図３〜図６を用いて説明する。
【００３８】
本実施例は、中間部パネル２６の１個の欄干パネルを、複数（３つ）の欄干パネル部である上側パネル（端部用欄干パネル部）４、中央部パネル（中央部用欄干パネル部）５、下側パネル（端部用欄干パネル部）６の３分割とした例を示す。上側パネル４、下側パネル６は乗客コンベアの傾斜角度αに対応した傾斜をつけた形状としている。中央部パネル５は、後述の垂直割の欄干パネルの中央部パネルと同じ形状を有している。
【００３９】
上側パネル４と中央部パネル５、中央部パネル５と下側パネル６を、それぞれ継ぎ板７，８を用いて挟み、ワッシャ１０、ボルト１１などの連結部材により継ぎ板７，８を締め付けることで連結し、１個の欄干パネルとして組立てている。本実施例ではパネル（欄干パネル部）を連結部材の一種であるボルト１１で締め付ける場合を示しているが、これを連結部材の一種であるリベット等により締め付けて固定しても良い。各パネルは、ガラスで構成されているが、応急用の場合には、ガラス以外の材料を用いて構成しても良い。また、継ぎ手はパネルの接続が十分な強度で行われるように金属で構成されている。
【００４０】
ここで、継ぎ手は、乗客コンベアの外観上見える位置に設けられている。また、継ぎ手は、複数の欄干パネル部間の隙間を表側の継ぎ板と裏側の継ぎ板（例えば継ぎ板７，８）とで挟み表側の継ぎ板と裏側の継ぎ板とを連結部材（例えばボルト１１）で連結した構造となっている。
【００４１】
尚、この継ぎ手を用いて組立品で構成された欄干パネルは、乗客コンベアに設置される際には、隣接する欄干パネルとは図３で示したような継ぎ手を用いて接続する必要はなく、組立品ではない通常の欄干パネルと同様に通常通りの方法で乗客コンベアに設置すればよい。
【００４２】
本実施例では、継ぎ手とパネル間に、図６に示すように、ゴム板９を挟んで摩擦係数を上げることで継ぎ手部の摩擦力を上げ、継ぎ手とパネル間のズレ防止を図っている。
【００４３】
また、本実施例では、図４，図６に示した如く、継ぎ板７，８には、ステップ１、ハンドレール２の進行方向に対して傾斜部７ａ，８ａを設けて、乗客が継ぎ手に接触しても引っかからないようにしている。具体的には、継ぎ手は、欄干パネル部に対向する側とは反対側の面が進行方向に対して傾斜した形状を有している。
【００４４】
また、図５に示した如く、乗客が乗降する踏段１側（図の左側）にネジ穴を設けた継ぎ板７を配置し、乗客とは反対側にボルト穴を設けた継ぎ板８を配置して、乗客とは反対側からボルト１１で締め付けるようにしている。更に、図６に示すように、継ぎ板８には凹部を設けてボルト１１の頭が継ぎ板８よりも出ないようにし、万一乗客が反対側に手を出してもボルト１１に引っかからないようにしている。
【００４５】
こうした構造での欄干パネルの長さLは、下側パネル長さL１、中央部パネル長さL２、上側パネル長さL３、および隙間G１、G２の合計となるが、継ぎ手長さBよりも小さい範囲で隙間G１、G２を調整することで、欄干パネル長さLを任意に調整できる。更に継ぎ手長さBに対して、隙間G１、G２が大きくなるようなパネル長さLが必要になった場合は、上側、下側パネルはそのままとし、中央部パネル長さL２が1段階長いものとして対応する。このように必要なパネル長によって、あらかじめ中央部パネル長L２、隙間G１、G２を設定しておくことによって、鉛直割に対応した任意の長さL、高さHの欄干パネルが提供可能となる。
【００４６】
尚、図５に示すように（図３では二点鎖線で示したように）、ハンドレール２をガイドする部品３２が欄干パネル上部に取り付けられるが、隙間G１、G２の影響を改善するため、樹脂などで形成されたスペーサ１２を継ぎ手７，８で挟んで、スペーサ１２によりパネル間の隙間G１、G２に部分的に埋め込んである。
【００４７】
また、継ぎ手は、乗客が引っかからないように、デッキ３１から部品３２までの高さＨ’を有する一体物として構成されている。乗客が引っかかりにくいことが担保できれば継ぎ手を高さ方向に分割して構成しても良い。但し、作業性の面や乗客が引っかかりにくいようにすることを考慮すると、分割しないで構成した方が良い。
【００４８】
乗客コンベアのメンテナンスを行う事業者の拠点には、複数の欄干パネル部として、乗客コンベアの仕様に合わせて形成した複数種類の欄干パネル部と、複数の乗客コンベアの仕様において共用可能に形成した欄干パネル部とを保管しておく。
【００４９】
欄干パネルの組み立ては、乗客コンベアのメンテナンス事業者のサービス拠点で組み立てて、組み立てたものを現地に運び込むようにしても良いし、現地に部品を持ち込み現地にて組み立てるようにしても良い。組み立てた応急用の欄干パネルは現地の乗客コンベアに取り付けられ、乗客コンベアが仮復帰する。そして、後日に先に手配したガラスの欄干パネル（一体物の欄干パネル）入荷後に、最終的な欄干パネルの交換作業が行われる。応急用の欄干パネルに用いられたパネル（特に中央部パネル）や継ぎ手などの部品は、別の乗客コンベアにおける応急用の欄干パネルとして再利用される。
【００５０】
なお、図３に示す実施例では、欄干パネルを３分割した場合であるが、中央部パネル５を省略し、上側パネル４と下側パネル６とを継ぎ板７，８を用いて接続するようにしても良い。この場合でも、継ぎ手により長さ調節が可能であり、長さが異なる複数の欄干パネルの応急用パネルを容易に得ることができる。
【００５１】
次に、乗客コンベアの欄干パネルが垂直割りの中間部パネル（図２における中間部パネル２９）の実施例を、図７を用いて説明する。
【００５２】
本実施例は、中間部パネル２９の１個の欄干パネルを、上側パネル（端部用欄干パネル部）１３、中央部パネル（中央部用欄干パネル部）５、下側パネル（端部用欄干パネル部）１４の３分割とした例を示す。本実施例では、上側パネル１３、下側パネル１４の形状を中央部パネル５と同じ長方形にしたもので、これ以外の部品は図３の鉛直割の欄干パネルと同一にしている。
【００５３】
したがって上側パネル、下側パネルを交換するのみで直ちに鉛直割から垂直割の欄干パネルに対応でき、しかも任意の長さLの欄干パネルを提供できる。
【００５４】
また鉛直割の場合の上側パネル、下側パネル長さの合計L１+L３と、垂直割の場合の上側パネル、下側パネル長さの合計L４＋L５を同じにしておくことで、任意の長さの欄干パネルLを得るために構成する中央部パネル長さL２、隙間G１、G２の設定が同一となるので統一性が図れる。ただし、傾斜角度αとパネル高さHによりやむを得ず同一にできない場合もあるので、これが必須条件ではない。この場合でも任意の長さと形状に対応可能な欄干パネルを提供できることに変わりはない。また、L４とL５とを同じ長さにすれば、部品の共通化を図ることができる。
【００５５】
なお、図７の実施例においても、図３の実施例と同様に、中央部パネル５を省略し、上側パネル１３と下側パネル１４とを継ぎ手７，８を用いて接続するようにしても良い。この場合でも、継ぎ手により長さ調節が可能であり、長さが異なる複数の欄干パネルの応急用パネルを容易に得ることができる。
【００５６】
次に、乗客コンベアの上部乗降口パネル（図１における上部乗降口パネル２５、図２おける上部乗降口パネル２８）の実施例を、図８及び図９を用いて説明する。
【００５７】
図８は鉛直割りの上部乗降口パネル２５の分割構造を示し、上部乗降口パネル２５は、上側パネル（端部用欄干パネル部）１５、中央部パネル（中央部用欄干パネル部）１６、下側パネル（端部用欄干パネル部）１７の３分割で構成されている。
【００５８】
図９は垂直割りの上部乗降口パネル２８の分割構造を示し、上部乗降口パネル２８は、上側パネル（端部用欄干パネル部）１５、中央部パネル（中央部用欄干パネル部）１６、下側パネル（端部用欄干パネル部）１８の３分割で構成されている。
【００５９】
尚、鉛直割、垂直割共に、継ぎ手の構造や、その他の構成部品は、図３〜図７の中間部パネルと同一である。
【００６０】
上部乗降口パネルにおいても、中間部パネルと同様に、鉛直割の場合は下側パネル１７を、垂直割の場合は下側パネル１８とすることで、鉛直割と垂直割の形状に対して直ちに対応可能となる。
【００６１】
また、上部乗降口パネルの場合、通常は、上側パネル１５と中央部パネル１６は、鉛直割、垂直割に関わらず同一にできる（すなわち、共用できる）場合が多い。したがって中央部パネル１６の長さと、継ぎ手における隙間GU1、GU2を調整することで、任意の長さの上部乗降口パネルに対応可能となる。
【００６２】
なお、図８及び図９の実施例においても、図３の実施例と同様に、中央部パネル１６を省略し、上側パネル１５と下側パネル１７（１８）とを継ぎ板７，８を用いて接続するようにしても良い。この場合でも、継ぎ手により長さ調節が可能であり、長さが異なる複数の上部乗降口パネルの応急用パネルを容易に得ることができる。
【００６３】
次に、乗客コンベアの下部乗降口パネル（図１における下部乗降口パネル２７、図２おける下部乗降口パネル３０）の実施例を、図１０及び図１１を用いて説明する。
【００６４】
図１０は鉛直割りの下部乗降口パネル２７の分割構造を示し、下部乗降口パネル２７、上側パネル（端部用欄干パネル部）２１、中央部パネル（中央部用欄干パネル部）２０、下側パネル（端部用欄干パネル部）１９の３分割で構成されている。
【００６５】
図１１は垂直割りの下部乗降口パネル３０の分割構造を示し、下部乗降口パネル３０は、上側パネル（端部用欄干パネル部）２２、中央部パネル（中央部用欄干パネル部）２０、下側パネル（端部用欄干パネル部）１９の３分割で構成されている。
【００６６】
尚、鉛直割、垂直割共に、継ぎ手の構造や、その他の構成部品は、図３〜図７の中間部パネルと同一である。
【００６７】
下部乗降口パネルにおいても、中間部パネルと同様に、鉛直割の場合は上側パネル２１を、垂直割の場合は上側パネル２２とすることで、鉛直割と垂直割の形状に対して直ちに対応可能となる。
【００６８】
また、上部乗降口パネルと同様に、下部乗降口パネルにおいても、通常は、下側パネル１９と中央部パネル２０は、鉛直割、垂直割に関わらず同一にできる場合が多い。したがって中央部パネル２０の長さと、継ぎ手における隙間GD1、GD2を調整することで、任意の長さの下部乗降口パネルに対応可能となる。
【００６９】
なお、図１０及び図１１の実施例においても、図３の実施例と同様に、中央部パネル２０を省略し、上側パネル２１（２２）と下側パネル１９とを継ぎ板７，８を用いて接続するようにしても良い。この場合でも、継ぎ手により長さ調節が可能であり、長さが異なる複数の下部乗降口パネルの応急用パネルを容易に得ることができる。
【００７０】
さらに、前述した如く、上部乗降口パネル高さHUと下部乗降口パネル高さHDは通常同一であるため、上部乗降口パネルの上側パネル１５の長さLU1、下部乗降口パネルの下側パネル１９の長さLD1を同一にし、上部乗降口パネルの中央部パネル１６の長さLU2と下部乗降口パネルの中央部パネル２０の長さLD2を同一寸法として、各々共用可能とする。
【００７１】
欄干パネルの鉛直割、垂直割の分割方法による形状の相違とパネル長さの相違から、数千種類にわたる欄干パネルが存在するが、上述の各実施例を適宜組合せすることにより、数十種類のパネル（部品）を準備しておき、それらを継ぎ手で接続することで必要な長さ、形状の欄干パネルに対応できる。これにより、数千種類の欄干パネルを準備する必要がなくなり、しかも、現地において万一ガラスパネルが破損しても、破損した欄干パネルと同じ長さ形状の応急用の欄干パネルを迅速に提供することができる。また、欄干パネルの部品は、繰り返して使用できるため、本実施例の欄干パネルの分割構造は、費用低減にも寄与できる。
【００７２】
また、上述の実施例では、応急用の欄干パネルについて説明しているが、欄干パネルの分割構造は、常設用の欄干パネルにも適用できる。本実施例によれば、いろいろな欄干パネルを容易に製作することができるので、乗客コンベアの欄干パネルは、乗客コンベアの仕様に対応した専用品として準備する必要がなくなり、結果的に、乗客コンベアのコストを低減することができる。なお、乗客コンベアの全ての欄干パネルに上述の各実施例を適用する必要はなく、何れか一つの欄干パネルにいずれかの実施例を適用するようにしても良い。
【００７３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【符号の説明】
【００７４】
１  ステップ
２  ハンドレール
３  本体枠
４  中間部パネル分割時の上側パネル
５  中間部パネル分割時の中央部パネル
６  中間部パネル分割時の下側パネル
７  継ぎ板
８  継ぎ板
９  ゴム板
１０  ワッシャ
１１  ボルト
１２  スペーサ
１３  中間部パネル分割時の上側パネル
１４  中間部パネル分割時の下側パネル
１５  上部乗降口パネル分割時の上側パネル
１６  上部乗降口パネル分割時の中央部パネル
１７  上部乗降口パネル分割時の下側パネル
１８  上部乗降口パネル分割時の下側パネル
１９  下部乗降口パネル分割時の下側パネル
２０  下部乗降口パネル分割時の中央部パネル
２１  下部乗降口パネル分割時の上側パネル
２２  下部乗降口パネル分割時の上側パネル
２５  乗客コンベアの鉛直割の場合の上部乗降口パネル
２６  乗客コンベアの鉛直割の場合の中間部パネル
２７  乗客コンベアの鉛直割の場合の下部乗降口パネル
２８  乗客コンベアの垂直割の場合の上部乗降口パネル
２９  乗客コンベアの垂直割の場合の中間部パネル
３０  乗客コンベアの垂直割の場合の下部乗降口パネル
【図１】
2014125295.tif 000003
【図２】
2014125295.tif 000004
【図３】
2014125295.tif 000005
【図４】
2014125295.tif 000006
【図５】
2014125295.tif 000007
【図６】
2014125295.tif 000008
【図７】
2014125295.tif 000009
【図８】
2014125295.tif 000010
【図９】
2014125295.tif 000011
【図１０】
2014125295.tif 000012
【図１１】
2014125295.tif 000013